(57)【要約】      （修正有）【課題】巻き付けて計測するためのメジャー付きタオルを提供する。【解決手段】メジャー付きタオル１であって、該タオル１の直線状の一辺の基準位置から離れた直線状の一辺の縁を含む第１の範囲に形成されるメインメジャーＭ１と、基準位置から伸長する直線状の一辺の縁を含む第２の範囲に形成されるサブメジャーＭ２と、を含み、メインメジャーＭ１が、第１の範囲に１センチメートル間隔で設けられる複数の目盛マークを含み、サブメジャーＭ２が、第２の範囲に０．９センチメートル間隔で設けられる複数の目盛マークを含む。【選択図】図２
0003211856.tif 000002
【実用新案登録請求の範囲】
【請求項１】
巻き付けて計測するためのメジャー付きタオルであって、
該タオルの直線状の一辺の基準位置から離れた前記直線状の一辺の縁を含む第１の範囲に形成されるメインメジャーと、
前記基準位置から伸長する前記直線状の一辺の縁を含む第２の範囲に形成されるサブメジャーと、を含み、
前記メインメジャーが、前記第１の範囲に１センチメートル間隔で設けられる複数の目盛マークを含み、
前記サブメジャーが、前記第２の範囲に０．９センチメートル間隔で設けられる複数の目盛マークを含む、タオル。
【請求項２】
前記複数の目盛マークがそれぞれ、前記直線状の一辺の縁をかがる糸から形成されることを特徴とするタオル。
【考案の詳細な説明】
【技術分野】
【０００１】
本考案は、メジャー（目盛）を備えたタオルに関する。特に、タオル自体のデザインや機能を損なうことなく、容易に正確な測定を行うためのタオルに関する。
【背景技術】
【０００２】
従来、タオルの図柄として目盛りとなる線や色分けによる線と数字を設け、メジャーとして使用できることを特徴とするタオルが提案された（実用新案登録第３１０００６３号公報：先行文献１）。
【０００３】
バスタオル、あるいはスポーツタオルの一定の長さの部位に目安となる印と色調の変化を設けて、入浴後などに腹部にこれを巻くことで臍高部の腹囲径に意識を向け、内臓脂肪蓄積により生ずるメタボリック症候群の予防、是正を促すところを特徴とした目安目盛付タオルが提案された（実用新案登録第３１３１１５７号公報：先行文献２）。
【０００４】
バスタオルの一部に帯状の布地を設け、布地に目盛を設けたことを特徴としたメジャー付バスタオルが提案された（特開平２０１０−８８８３５号公報：先行文献３）。
【０００５】
概略矩形に構成されるタオルであってタオルの図柄として、矩形を構成する辺の内の、第１の辺に沿って第１の目盛りを有し、第１の辺に向かい合う第２の辺に、第１の目盛りと異なる単位による第２の目盛りを有することを特徴とするタオルが提案された（実用新案登録第３１９７０１８号公報：先行文献４）。
【先行技術文献】
【特許文献】
【０００６】
【特許文献１】実用新案登録第３１０００６３号公報
【特許文献２】実用新案登録第３１３１１５７号公報
【特許文献３】特開平２０１０−８８８３５号公報
【特許文献４】実用新案登録第３１９７０１８号公報
【考案の概要】
【考案が解決しようとする課題】
【０００７】
色分けされたタオルは、メタボリック症候群の目安とはなっても計測には向かなかった。計測のために目盛を設けるものは、目盛がタオルの表面に位置するため、例えば、自分でウエストを測る際に巻き付けて上から見下ろすと細かい目盛が読み取りにくかった。
【０００８】
また、目盛をミリ単位で明瞭に表すためにタオルの片面を平織にする必要があるなど素材が制限される場合があった。タオルの表面に目盛や色分けが配置されるので、無地のタオルやさまざまな柄のタオルとすることができなかった。
【０００９】
本考案は、タオル自体の機能やデザイン性を低下させることなく、腹囲等を測定することができるタオルを提供することを目的とする。
【課題を解決するための手段】
【００１０】
上記課題を解決する本考案の一つの実施形態は、巻き付けて計測するためのメジャー付きタオルであって、該タオルの直線状の一辺の基準位置から離れた直線状の一辺の縁を含む第１の範囲に形成されるメインメジャーと、基準位置から伸長する直線状の一辺の縁を含む第２の範囲に形成されるサブメジャーと、を含み、メインメジャーが、第１の範囲に１センチメートル間隔で設けられる複数の目盛マークを含み、サブメジャーが、第２の範囲に０．９センチメートル間隔で設けられる複数の目盛マークを含む、ことを特徴とする。
【００１１】
好適に、複数の目盛マークはそれぞれ、直線状の一辺の縁をかがる糸から形成される。
【考案の効果】
【００１２】
本考案のメインメジャーとサブメジャーを有するタオルによれば、風呂上がり等に身体に巻き付け、縁に形成されたシンプルな目盛を確認してノギスの要領で腹囲等を計測することができ、ミリ単位の増減等も容易に把握することができる。
【００１３】
また、本考案に係るメジャーはタオルの一辺の縁をかがる糸により形成することができ、任意のタオル製品に適用することができる。例えば、ブランドタオル等の優れた吸水性や肌触り、デザインを保ったまま、さらに測定機能を付加することができる。
【図面の簡単な説明】
【００１４】
【図１】図１は本考案の一つの実施形態に係るメジャー付きタオルの正面図を模式的に示す。
【図２】図２（ａ）は本考案に係るメジャー付きタオルの上面図を模式的に示す。図２（ｂ）は測定方法を説明する図である。
【考案を実施するための形態】
【００１５】
以下、添付図面を参照して本考案の好ましい実施例が説明される。図面は説明のために簡略化され、尺度も一致しない場合がある。
【００１６】
図１に、本考案に係るメジャー付きタオル１が模式的に示される。メジャー付きタオル１はバスタオル等であってよく、例えば、１２０×６０（ｃｍ）程度のサイズの矩形のパイル織物等を含む。
【００１７】
本考案に係るメインメジャーは、概して、タオル１の一つの辺Ｌ１の端部を基準位置（０ｃｍ）（図中、三角のマークで示される）とし、基準位置から辺Ｌ１に沿って所定の長さだけ離れた範囲ｒ１の縁に設けられる。基準位置は辺Ｌ１の端部に限らず、端部から数ｃｍ〜数十ｃｍ等離れた位置にあってもよい。範囲ｒ１は、例えば、基準位置から辺Ｌ１に沿って計測される５０ｃｍ〜１００ｃｍの範囲であってよく、この場合、５０ｃｍ〜１００ｃｍの範囲で腹囲等の測定対象を測定し得る。範囲ｒ１は「５０〜８０ｃｍ」、「６０〜９０ｃｍ」、「７０〜１００ｃｍ」等複数のパターンがあってもよく、想定される測定対象に応じて任意に設定されてよい。
【００１８】
サブメジャーは、辺Ｌ１の縁の基準位置から伸長する範囲ｒ２に設けられる。範囲ｒ２は、基準位置（０ｃｍ）から８．１ｃｍの範囲であってよい。範囲ｒ２は、基準位置から８．１ｃｍを超える範囲であってもよい。範囲ｒ１と範囲ｒ２とは重複しないことが好ましい。
【００１９】
図２（ａ）は、測定者が自らタオル１をウエスト等の測定対象部位に巻き付けて上から見下ろした状態のタオル１を模式的に示す。図示のように、メインメジャーＭ１やサブメジャーＭ２がタオルの縁に形成されるので、自然に見下ろす動作で容易に確認することができる。メインメジャーＭ１の目盛は１ｃｍ間隔であり、サブメジャーＭ２の目盛は０．９ｃｍ（９ｍｍ）間隔である。各目盛は、辺Ｌ１の縁をかがる糸により形成されてよい。糸の代わりに任意のマーカーが用いられてもよい。
【００２０】
図２（ｂ）は、図２（ａ）の点線の円内の拡大図を模式的に示す。図示のように、メインメジャーＭ１、サブメジャーＭ２はそれぞれ所定の間隔で配置される線状のマーク（図中、点線で表される）から成り、概して、数字表記等を含まない。測定値を表すように、メインメジャーＭ１の１ｃｍ間隔の複数の目盛マークのうち、１０の倍数（図示の例では、８０ｃｍ）に対応する目盛が他の目盛より太い線に形成されてよい。あるいは、１０の倍数や５の倍数に対応する目盛が他の目盛と色分けされてもよい。サブメジャーＭ２の各目盛マークは互いに区別されなくてよいが、基準位置（図中、三角マークで示される位置）はサブメジャーＭ２の各目盛より太い線で表されてよい。
【００２１】
あるいは、メインメジャーＭ１の各目盛は各ｃｍを表す数字表記を含んでもよい。サブメジャーＭ２の目盛はそれぞれ、１ｍｍ、２ｍｍ、３ｍｍ、４ｍｍ、５ｍｍ、６ｍｍ、７ｍｍ、８ｍｍ、及び９ｍｍの数字表記を含んでもよい。
【００２２】
メインメジャーＭ１及びサブメジャーＭ２により、ノギスのように測定を行うことができる。すなわち、タオル１を測定部位に巻き付けるとサブメジャーの９つの目盛（それぞれ基準位置から、０．９ｃｍ、１．８ｃｍ、２．７ｃｍ、３．６ｃｍ、４．５ｃｍ、５．４ｃｍ、６．３ｃｍ、７．２ｃｍ、及び８．１ｃｍに位置する）のいずれかが、メインメジャーＭ１のいずれかの目盛と一致し、基準位置の手前のメインメジャーの目盛（下向きの矢印が指す目盛）がｃｍ単位の値を表し、メインメジャーＭ１と一致するサブメジャーＭ２の目盛（上向きの矢印が指す目盛）がｍｍ単位の値を表す。図示の例では、メインメジャーＭ１の太い線の目盛マークが「８０ｃｍ」を表すので、基準位置の手前のメインメジャーＭ１の目盛を読むと「７６ｃｍ」となり、サブメジャーＭ２の３個目の目盛がメインメジャーＭ１の目盛に一致するので「３ｍｍ」となり、対象部位の測定値は「７６．３ｃｍ」となる。
【００２３】
本考案によれば、任意のタオル製品の縁に線状の目盛マークを設けてメジャー付きタオルとすることができる。タオル自体の機能やデザインを損なわないシンプルなメジャーでありながら、ミリ単位の測定を行うことができる。巻き付けて見下ろす自然な動作で目盛を確認しやすく、日々のわずかな増減等も容易に把握することができる。
【００２４】
添付図面を参照して本考案の好ましい実施態様が説明されたが、本考案は上述した実施態様に限られることなく、実用新案登録請求の範囲の記載から把握される技術的範囲において種々の態様に変更可能である。
【符号の説明】
【００２５】
１          メジャー付きタオル
Ｍ１          メインメジャー
Ｍ２          サブメジャー
【図１】
0003211856.tif 000003
【図２】
0003211856.tif 000004
【手続補正書】
【提出日】平成29年6月1日(2017.6.1)
【手続補正１】
【補正対象書類名】実用新案登録請求の範囲
【補正対象項目名】請求項２
【補正方法】変更
【補正の内容】
【請求項２】
前記複数の目盛マークがそれぞれ、前記直線状の一辺の縁をかがる糸から形成されることを特徴とする請求項１に記載のタオル。